(57)【要約】【課題】屋外において、自動車の周辺を自動的かつ安全に清掃することができる清掃システムを提供する。【解決手段】自動車は、自走式清掃装置を格納する格納部と、自動車の周辺の路面が清掃可能であるかを判定する清掃判定部３３と、清掃判定部３３が清掃可能であると判定したとき、自走式清掃装置を格納部から発進させて清掃を行わせる清掃装置制御部３４と、を備える。【選択図】図６
2019091176.tif 000002
【特許請求の範囲】
【請求項１】
自動車、及び路面を走行して清掃する自走式清掃装置を備える清掃システムであって、
前記自動車は、
前記自走式清掃装置を格納する格納部と、
前記自動車の周辺の路面が清掃可能であるかを判定する清掃判定手段と、
前記清掃判定手段が清掃可能であると判定したとき、前記自走式清掃装置を前記格納部から発進させて清掃を行わせる清掃装置制御手段と、を備える
ことを特徴とする清掃システム。
【請求項２】
請求項１に記載の清掃システムであって、
前記清掃判定手段は、複数の車線からなる道路のうち、最も路側帯側の走行車線に前記自動車が停車していることを検出したとき、清掃可能であると判定する
ことを特徴とする清掃システム。
【請求項３】
請求項２に記載の清掃システムにおいて、
前記清掃判定手段は、前記自動車の路側帯側の路面を清掃範囲とし、
前記清掃装置制御手段は、前記自走式清掃装置に前記清掃範囲を清掃させる
ことを特徴とする清掃システム。
【請求項４】
請求項１から請求項３の何れか一項に記載の清掃システムにおいて、
交差点に設置された信号機が停車を指示する信号から発進可能を表す信号になるまでの時間を提供する交通管制手段から前記時間を取得するインフラ情報取得手段を備え、
前記清掃判定手段は、前記時間が所定時間以上であるとき、清掃可能であると判定する
ことを特徴とする清掃システム。
【請求項５】
請求項１から請求項４の何れか一項に記載の清掃システムにおいて、
前記自走式清掃装置、前記清掃判定手段、及び前記清掃装置制御手段を備えた他の自動車と車車間通信をする車車間通信手段を備え、
前記清掃判定手段は、前記他の自動車の前記自走式清掃装置により清掃される清掃範囲を前記車車間通信手段により受信し、前記他の自動車の清掃範囲と重複しない清掃範囲を設定し、
前記清掃装置制御手段は、前記自走式清掃装置に前記清掃範囲を清掃させる
ことを特徴とする清掃システム。
【発明の詳細な説明】
【技術分野】
【０００１】
本発明は、自走式清掃装置が車両に搭載された清掃システムに関する。
【背景技術】
【０００２】
自律的に床を清掃する自走式清掃装置が知られている。このような自走式清掃装置は、主として家庭用であるが、屋外でも利用できることが望まれている。例えば、自動車に搭載して持ち運び、自動車が駐停車した周辺を自走式清掃装置に清掃させたい場合が考えられる。清掃する場所が路面であれば社会貢献に繋がるし、キャンプ地などであればその周辺を美化することができる。
【０００３】
しかしながら、屋外の路面は、陥没などの凹凸によって清掃できない場合がありえる。また、自走式清掃装置が清掃中に、道路を走行する他車両に衝突する虞がある。このように、従来の自走式清掃装置では、屋外において安全に清掃させることが困難である。
【０００４】
従来では、車載の清掃ロボットが提案されているが（例えば、特許文献１参照）、車室内を清掃する清掃ロボットであり、上記課題を解決できるものではない。
【先行技術文献】
【特許文献】
【０００５】
【特許文献１】特開２００９−２９７８９２号公報
【発明の概要】
【発明が解決しようとする課題】
【０００６】
本発明は、このような事情に鑑みてなされたものであり、屋外において、自動車の周辺を自動的かつ安全に清掃することができる清掃システムを提供することを目的とする。
【課題を解決するための手段】
【０００７】
上記課題を解決する本発明の第１の態様は、自動車、及び路面を走行して清掃する自走式清掃装置を備える清掃システムであって、前記自動車は、前記自走式清掃装置を格納する格納部と、前記自動車の周辺の路面が清掃可能であるかを判定する清掃判定手段と、前記清掃判定手段が清掃可能であると判定したとき、前記自走式清掃装置を前記格納部から発進させて清掃を行わせる清掃装置制御手段と、を備えることを特徴とする清掃システムにある。
【０００８】
第１の態様では、自動車が清掃可能であるかを判定し、その結果に基づいて清掃装置が走行清掃を行う。これにより、安全な状況下において清掃装置に清掃させることができる。
【０００９】
本発明の第２の態様は、第１の態様に記載の清掃システムであって、前記清掃判定手段は、複数の車線からなる道路のうち、最も路側帯側の走行車線に前記自動車が停車していることを検出したとき、清掃可能であると判定することを特徴とする清掃システムにある。
【００１０】
第２の態様では、より安全な状況において清掃装置に走行清掃を行わせることができる。
【００１１】
本発明の第３の態様は、第２の態様に記載の清掃システムにおいて、前記清掃判定手段は、前記自動車の路側帯側の路面を清掃範囲とし、前記清掃装置制御手段は、前記自走式清掃装置に前記清掃範囲を清掃させることを特徴とする清掃システムにある。
【００１２】
第３の態様では、他車両に衝突する虞が低く、また、塵埃が多い清掃範囲を、清掃装置に清掃させることができる。
【００１３】
本発明の第４の態様は、第１から第３の何れか一つの態様に記載の清掃システムにおいて、交差点に設置された信号機が停車を指示する信号から発進可能を表す信号になるまでの時間を提供する交通管制手段から前記時間を取得するインフラ情報取得手段を備え、前記清掃判定手段は、前記時間が所定時間以上であるとき、清掃可能であると判定することを特徴とする清掃システムにある。
【００１４】
第４の態様では、信号機で停車した時間を利用して清掃装置に走行清掃させることができるとともに、青信号になるまでには、清掃装置を自動車に帰還させることができる。
【００１５】
本発明の第５の態様は、第１から第４の何れか一つの態様に記載の清掃システムにおいて、前記自走式清掃装置、前記清掃判定手段、及び前記清掃装置制御手段を備えた他の自動車と車車間通信をする車車間通信手段を備え、前記清掃判定手段は、前記他の自動車の前記自走式清掃装置により清掃される清掃範囲を前記車車間通信手段により受信し、前記他の自動車の清掃範囲と重複しない清掃範囲を設定し、前記清掃装置制御手段は、前記自走式清掃装置に前記清掃範囲を清掃させることを特徴とする清掃システムにある。
【００１６】
第５の態様では、他の自動車と清掃範囲が重複しないように路面を清掃することができる。
【発明の効果】
【００１７】
本発明によれば、屋外において、自動車の周辺を自動的かつ安全に清掃することができる清掃システムが提供される。
【図面の簡単な説明】
【００１８】
【図１】清掃システムを適用した自動車の側面図である。
【図２】自動車の一部を拡大した背面図である。
【図３】片側二車線道路の交差点付近を示す上面図である。
【図４】片側一車線道路の交差点付近を示す上面図である。
【図５】パーキングエリアが設けられた一方通行道路を示す上面図である。
【図６】清掃システムのブロック図である
【図７】清掃システムのフロー図である。
【発明を実施するための形態】
【００１９】
以下、本発明を実施するための形態について説明する。なお、実施形態の説明は例示であり、本発明は以下の説明に限定されない。
【００２０】
〈実施形態１〉
図１は本実施形態の清掃システムを適用した自動車の側面図であり、図２は自動車の一部を拡大した背面図である。
【００２１】
清掃システム１は、自動車１０と自走式清掃装置（以下、清掃装置と称する）２０とを備えている。また、自動車１０は、格納部１１と、車載カメラ１２と、入出力装置１３と、制御装置３０とを備えている。
【００２２】
格納部１１は、清掃装置２０を格納できる程度の空間を有する箱状に形成されており、自動車１０の底部に設けられている。格納部１１の一つの側面は、水平方向を軸として開閉可能となっており、格納部１１と路面６０との間にスロープ１５を形成する。
【００２３】
清掃装置２０は、路面６０などを自走しながら、路面６０上の塵埃を除去する走行清掃が可能な装置である。また、清掃装置２０は、走行清掃の開始時には格納部１１から発進してスロープ１５を経由して路面６０に降り、走行清掃の終了時には路面６０からスロープ１５を昇って格納部１１で停止することが可能となっている。このような走行清掃を行う清掃装置２０は、公知の構成であるため、詳細な説明は省略する。
【００２４】
清掃装置２０は、特に図示しないが、走行清掃を行うための制御部、及び自動車１０に搭載された制御装置３０と無線通信を行う通信部を備えている。
【００２５】
制御部は、通信部を介して制御装置３０から受信した制御信号に基づき、格納部１１から発進して走行清掃を開始し、走行清掃を終了して格納部１１へ帰還する制御を行う。さらに、制御部は、自律的に、清掃する範囲を決定することも可能であるが、制御装置３０から受信した清掃範囲を表す情報に従って、その清掃範囲を走行清掃することも可能となっている。
【００２６】
つまり、清掃装置２０は走行清掃を自律的に行うことが可能である一方、走行清掃の開始及び終了、並びに清掃範囲は、自動車１０の制御装置３０により制御されるようになっている。
【００２７】
車載カメラ１２は、自動車１０の周囲を撮像するように搭載されている。車載カメラ１２により撮像された画像は、制御装置３０で処理される。自動車１０の前方、側方、後方の路面６０が画角に収まるように、複数の車載カメラ１２が自動車１０に取り付けられている。もちろん、車載カメラ１２の台数や取付位置に特に限定はない。
【００２８】
入出力装置１３は、清掃システム１のＨＭＩ（ヒューマン  マシン  インターフェイス）であり、例えば、タッチパネルを備えた入出力装置である。乗員は、入出力装置１３を介して、清掃装置２０へ清掃を開始させる指示を与えたり、入出力装置１３に出力される清掃状況を確認できるようになっている。具体的には、入出力装置１３に指示が与えられると、制御装置３０により後述する処理が実行されて清掃装置２０による走行清掃が行われる。また、制御装置３０が清掃装置２０の状況を取得し、その状況を入出力装置１３に出力するようになっている。
【００２９】
制御装置３０は、ＥＣＵ（Electronic Control Unit）であり、ＣＰＵ、制御プログラムなどを格納・記憶するＲＯＭ、制御プログラムの作動領域としてのＲＡＭ、各種データを書き換え可能に保持するＥＥＰＲＯＭ、周辺回路等とのインターフェースをとるインターフェース部などを含んで構成される。制御装置３０は、自動車１０の各部とインターフェース部を介して接続され、それら各部との間で情報の授受をおこない、各部の制御を行う。例えば、制御装置３０は、上述した車載カメラ１２から画像を得ることが可能であり、入出力装置１３との間で入出力が可能となっている。
【００３０】
図３〜図５に、道路、及び清掃システム１が適用された自動車の状況を列挙する。
図３は、左側通行における片側２車線道路の交差点付近を示す上面図である。交差点付近には、信号機５０が設置されている。停止線６３付近には、自動車１０Ａが走行車線６１に停車し、自動車１０Ｂが追い越し車線６２に停車している。なお、これらの自動車１０Ａ、自動車１０Ｂを区別しない時は、自動車１０と称する。
【００３１】
また、交差点には、交通管制手段の一例である道路側インフラ４０が設置されている。道路側インフラ４０は、路車間で通信を行うことにより、交通状況に関する情報を自動車１０に提供するシステムである。
図４は、左側通行における片側一車線道路の交差点付近を示す上面図である。交差点の路側帯付近には、陥没６４が生じている。
図５は、パーキングエリアが設けられた一方通行の道路を示す上面図である。自動車１０Ａ及び自動車１０Ｂは、何れも路上のパーキングエリア６５に駐車している。
【００３２】
図３〜図５に示す各状況について清掃システム１の詳細な構成について説明する。
図６は本実施形態の清掃システムのブロック図である。制御装置３０は、インフラ情報取得部３１と、車車間通信部３２と、清掃判定部３３、清掃装置制御部３４と、を備えている。制御装置３０のＣＰＵが制御プログラムを実行することによって、各部３１〜３４が実現されている。
【００３３】
インフラ情報取得部３１は、インフラ情報取得手段の一例であり、道路側インフラ４０（図３参照）から伝達されるインフラ情報を取得し、そのインフラ情報を清掃判定部３３に提供する。インフラ情報とは、道路側インフラ４０が保持する道路に関する情報である。本実施形態のインフラ情報は、交差点の信号機５０（図３参照）に関する情報である。信号機に関するインフラ情報としては、信号機５０が点灯している色や、赤信号（停車を指示する信号）から青信号（発進可能であることを表す信号）に変るまでの時間（又は時刻）などである。
【００３４】
車車間通信部３２は、他車両に搭載された車車間通信機との間で車両情報を送受信する。車両情報としては、車速、アクセルペダル・ブレーキペダルの踏み込み量など車両に関する様々な情報があげられるが、本発明では、清掃範囲に関する情報が含まれる。清掃範囲とは、自動車１０から発進した清掃装置２０が清掃する範囲を表す情報である。このような清掃範囲を車両情報として他車両との間で送受信が可能となっている。詳細は後述するが、他車両に搭載された清掃装置の清掃範囲と、自車両（自動車１０）に搭載された清掃装置２０の清掃範囲とが重複しないようにすることができる。
【００３５】
車車間通信部３２で取得した他車両の清掃範囲は、清掃判定部３３に提供される。また、清掃判定部３３が設定した自車両の清掃装置２０の清掃範囲は、車車間通信部３２により他車両に送信される。
【００３６】
清掃判定部３３は、自動車１０の周辺の路面６０が清掃可能であるかを判定する。本実施形態では、清掃判定部３３は、車載カメラ１２から得られた画像と、インフラ情報取得部３１から得られたインフラ情報に基づいて、清掃可能であるかを判定する。なお、車載カメラ１２、インフラ情報取得部３１及び清掃判定部３３は、請求項に記載する清掃判定手段に該当する。
【００３７】
路面６０が清掃可能であるか否かは、路面６０における障害物の有無、清掃装置２０が走行清掃するのに十分な時間（以後、清掃時間と称する）があるかによって判断する。なお、清掃可能であると判定する前提として、自動車１０が停車又は駐車していることを要する。
【００３８】
例えば、自動車１０の周辺の路面６０に、障害物が存在しない、若しくは、清掃装置２０が障害物を避けるのに十分なスペースがあるならば、清掃可能であると判定する。さらには、図４に示すように路面６０に陥没がある場合や、蓋がされていない側溝がある場合は、清掃不可能であると判定する。
【００３９】
他にも、自動車１０が駐停車した位置によって清掃可能であるかを判定してもよい。具体的には、複数の車線からなる道路のうち、路側帯側の走行車線に自動車が停車していることを検出したとき、清掃可能であると判定する。
【００４０】
図３の例では、片側２車線の道路の走行車線６１（又は片側３車線以上の道路の最も左側の走行車線に停車している場合）に自動車１０が停車している場合、清掃可能であると判定する。路側帯側は、清掃装置２０が自動車に衝突する虞が最も低く、また、路側帯付近は塵埃が多い傾向にあるからである。
【００４１】
このような路面６０の状況によって清掃可否を判定するための具体的な手段としては、車載カメラ１２から得られた画像を解析することが上げられる。清掃判定部３３は、画像を画像処理して障害物、陥没、蓋がされていない側溝などを認識できないとき、清掃可能であると判定する。なお、このような画像処理は公知の技術であるので詳細な説明は省略する。
【００４２】
また、清掃装置２０が走行清掃するのに十分な清掃時間があるか否かは、インフラ情報を用いて判定する。まず、自動車１０が信号機５０（図３参照）によって交差点で停車したとする。このとき、インフラ情報取得部３１を介して、清掃判定部３３はインフラ情報を取得する。このインフラ情報には、信号機が次に青信号になるまでの時間が含まれている。清掃判定部３３は、その時間が所定時間以上ある場合は、清掃可能であると判定する。
【００４３】
障害物等の有無や、清掃時間などの清掃判定を行うための判定基準は、単独で用いてもよいし、複数用いてもよい。つまり、障害物等が無い又は障害物があっても十分なスペースがあり、かつ清掃時間が十分にある場合に清掃可能であると判定してもよい。他に、障害物等が無い又は障害物があっても十分なスペースがあれば清掃可能と判定してもよい。さらに、清掃装置２０が障害物等に強い構造、例えば、キャタピラを装着している構造や、プロペラなど飛行手段を装備している構造を有していれば、清掃時間が十分であるかという判定基準のみを用いて清掃判定を行ってもよい。
【００４４】
また、清掃判定部３３は、清掃範囲を決定することもできる。清掃範囲とは、自動車１０の周辺の路面６０であって、清掃装置２０に清掃させる範囲をいう。清掃判定部３３は、このようにして設定した清掃範囲を、清掃装置制御部３４に提供する。清掃範囲は、車載カメラ１２から得た画像を解析することにより特定する。
【００４５】
例えば、清掃判定部３３は、清掃装置２０が比較的平坦な範囲や障害物がない範囲を特定し、その範囲を清掃範囲とする。
【００４６】
他に、片側２車線の道路の走行車線６１（図３参照）に自動車１０が停車している場合や、片側３車線以上の道路の最も左側の走行車線に自動車１０が停車している場合、自動車１０の左側の歩道又は路側帯を清掃範囲Ｒとする（右側通行の場合は左右が逆になる）。自動車がどの車線を走行・停車しているかについては、車載カメラ１２から得られた画像を解析することにより判定することができる。
【００４７】
図３に示す例では、走行車線６１に停車した自動車１０Ａの左側の一定範囲が清掃範囲Ｒとなっている。清掃範囲Ｒは、清掃装置制御部３４により清掃装置２０に設定され、清掃装置２０は、その清掃範囲Ｒにおいて自律的に走行清掃を行う。このような清掃範囲Ｒは、例えば、格納部１１を基準とする各頂点の座標などで表される。もちろん、このような清掃範囲を設定せず、清掃装置２０に自律的に走行清掃を行わせてもよい。
【００４８】
清掃範囲の別態様を例示する。図４に示すように、路側帯付近に陥没６４がある。このような場合、清掃判定部３３は、陥没６４を含まない清掃範囲Ｒを設定し、清掃可能であると判定する。清掃範囲Ｒには陥没６４が含まれないので、清掃装置２０は、支障なく、清掃範囲Ｒを走行清掃することができる。または、清掃判定部３３は、画像処理により陥没６４があることを認識したら、清掃不可と判定してもよい。
【００４９】
さらに清掃範囲の別態様を例示する。図５に示すように、自動車１０と同じ清掃システム１を適用した他車両と清掃範囲が重複しないように、自動車１０の清掃範囲を設定してもよい。
【００５０】
自動車１０Ａと自動車１０Ｂとは、車車間通信部３２を介して自車の清掃範囲を決定する。この例では、自動車１０Ａは、自車の左側の範囲、及び自動車１０Ａと自動車１０Ｂとの間の範囲を清掃範囲Ｒ１として設定している。一方、自動車１０Ｂは、自車の左側の範囲を清掃範囲Ｒ２として設定している。
【００５１】
このような清掃範囲Ｒ１、清掃範囲Ｒ２の設定は次のように行うことができる。まず、自動車１０Ａ、自動車１０Ｂが各自で清掃範囲を決定する。次に、自車の清掃範囲を車車間通信で互いに送受信し、清掃範囲の重複部を検出する。そして、何れか一方の自動車が重複部を除去する。何れの自動車が重複部を除去するかは、車車間通信によって決定する。図５の例では、自動車１０Ｂが重複部分を除去した結果、自動車１０Ａと自動車１０Ｂとで、重複しない清掃範囲Ｒ１、清掃範囲Ｒ２が決定される。
【００５２】
このようにして、車車間通信を用いて、清掃範囲Ｒ１、清掃範囲Ｒ２を重複しないように分担することができるので、効率よく、路面を清掃することができる。
【００５３】
清掃装置制御部３４は、清掃装置制御手段の一例であり、清掃判定部３３が清掃可能であると判定したとき、清掃装置２０を格納部１１から発進させて清掃を行わせる。具体的には、清掃装置制御部３４は、走行清掃を開始する旨の制御信号（以下、開始制御信号という）を、無線通信を介して清掃装置２０に送信する。開始制御信号を受信した清掃装置２０は、格納部１１から発進して、路面６０を走行清掃する。
【００５４】
また、清掃装置制御部３４は、清掃装置２０に清掃範囲Ｒを送信してもよい。開始制御信号とともに清掃範囲Ｒを受信した清掃装置２０は、格納部１１から発進して清掃範囲Ｒを走行清掃する。
【００５５】
さらに、清掃装置制御部３４は、清掃装置２０に格納部１１へ帰還させる旨の制御信号（以下、帰還制御信号という）を送信してもよい。清掃装置２０が走行清掃中に帰還制御信号を送信した場合、清掃装置２０は、走行清掃を中止し、格納部１１へ帰還する。
【００５６】
清掃装置制御部３４は、例えば、入出力装置１３を介して乗員から走行清掃を中止する旨の指示を受けたときに、即時帰還する内容の帰還制御信号を清掃装置２０へ送信する。これにより、乗員の指示に迅速に対応して清掃装置２０を格納部１１へ帰還させることができる。
【００５７】
また、帰還制御信号は、清掃装置２０が受信したら即時格納部１１へ戻るために限定されない。帰還制御信号は、一定時間後には格納部１１へ帰還するという旨の信号であってもよい。清掃装置制御部３４は、このような帰還制御信号を走行清掃前に予め送信しておく。清掃装置２０は、走行清掃を行い、帰還制御信号に定められた一定時間後には格納部１１に格納されるように、格納部１１へ帰還する。
【００５８】
このような帰還制御信号としては、信号機が青信号になるまでの時間を設定することが好ましい。図３を用いて説明したように、そのような時間は、インフラ情報として取得することができる。これにより、赤信号から青信号になって自動車１０が発進するときには、清掃装置２０を格納部１１に格納した状態とすることができる。
【００５９】
図７を用いて、本実施形態の清掃システムの動作の一例を説明する。図７は本実施形態の清掃システムのフロー図である。
【００６０】
まず、入出力装置１３を介して、乗員から清掃指示が行われたとする（ステップＳ１）。次に、制御装置３０（清掃判定部３３）は、自動車１０の周辺の路面６０が清掃可能であるかを判定する（ステップＳ２）。具体的な清掃判定は上述したとおりである。
【００６１】
清掃可能である場合（ステップＳ２：Ｙｅｓ）、制御装置３０（清掃装置制御部３４）は、清掃装置２０に走行清掃させる（ステップＳ３）。このとき、帰還制御信号として、信号機５０が青信号になるまでの時間を清掃装置２０に送信しておく。なお、清掃可能でない場合（ステップＳ２：Ｎｏ）、清掃できない旨を入出力装置１３に表示し（ステップＳ５）、清掃指示に対する処理を終了する。
【００６２】
清掃装置２０は、走行清掃を行い、所定時間になるまでに格納部１１へ帰還する。制御装置３０は清掃装置２０が格納部１１へ帰還したら、スロープ１５を収容して、格納部１１に清掃装置２０を格納する（ステップＳ４）。
【００６３】
以上に説明したように、清掃システム１では、自動車１０が清掃可能であるかを判定し、その結果に基づいて清掃装置２０が走行清掃を行う。これにより、安全な状況下において清掃装置２０に清掃させることができる。また、自動車１０が清掃装置２０を搭載し、キャンプ地等で駐車した際や、道路の路側帯や交差点周辺を清掃することができる。このように周辺環境を清掃することは、一般に行われるボランティア活動に相当するといえるが、このようなボランティア活動を自動車１０の乗員に負担をかけずに実施することができる。
【００６４】
本実施形態に係る清掃システム１は、図３で説明したように、最も路側帯側の走行車線６１に自動車１０が停車しているときに、清掃可能であると判定する。このような走行車線６１は、他車両に衝突する虞が低い。したがって、より安全な状況において清掃装置２０に走行清掃を行わせることができる。
【００６５】
本実施形態に係る清掃システム１は、最も路側帯側の走行車線６１に自動車１０が停車しているときに、清掃可能であると判定し、自動車１０の路側帯側の路面を清掃範囲Ｒとする（図３参照）。このような清掃範囲Ｒは、他車両に衝突する虞が低く、また、塵埃が多い。したがって、清掃装置２０に、より安全な状況において効率的に走行清掃を行わせることができる。
【００６６】
本実施形態に係る清掃システム１は、道路側インフラ４０（交通管制手段）より信号機５０が赤信号から青信号になるまでの時間を用いて清掃判定をする。これにより、信号機５０で停車した時間を利用して清掃装置２０に走行清掃させることができるとともに、青信号になるまでには、清掃装置２０を自動車１０に帰還させることができる。
【００６７】
本実施形態に係る清掃システム１は、車車間通信手段を用いて、他の自動車と清掃範囲が重複しないように路面を清掃することができる。これにより複数の自動車で清掃範囲を分担することができるので、効率よく、路面を清掃することができる。
【００６８】
なお、本発明の実施形態について説明したが、勿論、本発明は、上述の実施形態に限定されるものではなく、本発明の趣旨から逸脱しない範囲内で、構成の付加、省略、置換、およびその他の変更が可能である。
【００６９】
上述した実施形態では、格納部１１は自動車１０の底部に設けられていたが、このような配置に限定されない。飛行可能な清掃装置であれば自動車１０の上部に格納部１１が設けられていてもよい。
【００７０】
図３〜図５に示したように、道路の路側帯付近を対象として清掃する場合について説明したが、清掃場所はこれらに限定されない。例えば、駐車場などでもよく、自動車が駐停車することができる場所であれば本発明を適用できる。
【００７１】
また、交差点において一次停車したときや、最も路側帯側の走行車線で停車したときに清掃可能と判定したが、このような停車に限定されない。例えば、追い越し車線などであっても、渋滞していてほとんど停車しているような場合に清掃可能と判定してもよい。
【００７２】
清掃装置２０の動力源に限定はないが、電気であることが好ましい。充電可能な二次電池を清掃装置２０に設け、格納部１１において自動車１０から清掃装置２０の二次電池を充電できるようにしてもよい。
【００７３】
清掃装置２０の塵埃を収容するスペースが一杯である場合は、走行清掃させないようにすることが好ましい。例えば、制御装置３０は、塵埃をどの程度収容しているかを清掃装置２０から無線通信により得ておく。そして、清掃装置２０が塵埃を一定以上収容している場合は、制御装置３０は清掃不可と判定し、その旨を入出力装置１３に出力する。
【００７４】
清掃装置２０には、周囲の注意を惹くための装置を設けてもよい。例えば、ライトなど、光を発する装置や、音を発する装置を設けてもよい。走行清掃中にこれらの装置を機能させることで、周囲の歩行者に清掃装置２０を知らしめることができ、衝突を回避することができる。
【符号の説明】
【００７５】
１…清掃システム、１０、１０Ａ、１０Ｂ…自動車、１１…格納部、１２…車載カメラ、１３…入出力装置、２０…清掃装置、３０…制御装置、３１…インフラ情報取得部、３２…車車間通信部、３３…清掃判定部、３４…清掃装置制御部、４０…道路側インフラ、５０…信号機、６０…路面
【図１】
2019091176.tif 000003
【図２】
2019091176.tif 000004
【図３】
2019091176.tif 000005
【図４】
2019091176.tif 000006
【図５】
2019091176.tif 000007
【図６】
2019091176.tif 000008
【図７】
2019091176.tif 000009